(57)【要約】本発明は、垂直周縁（１１ａ）を有する第１容器要素（１１）と、周縁（１２ａ）を有する閉鎖要素（１２）と、傷みやすい製品を収容する中心部（１３）とを有してなり、前記閉鎖要素における周縁は、前記第１容器要素の垂直周縁上に固着し閉鎖されるようにして配置され、前記閉鎖要素は周縁に突出リップ（１４ａ）を有し、前記突出リップは、前記第１容器要素から閉鎖要素を剥がすために該第１容器要素における垂直周縁に固着せず、前記突出リップ近傍に前記中心部と連通する閉鎖流路（１５）を形成する２つの周縁を有し、該周縁の少なくとも１つが前記閉鎖流路に対して略直交して伸長する破砕線（１６）を有することを特徴とする傷みやすい製品を収容するのに適したパッケージ（１０）に関する。
2006516236.tif 000002
【特許請求の範囲】
【請求項１】
傷みやすい製品を収容するのに適したパッケージであって、
垂直周縁を有する第１容器要素と、
周縁を有する閉鎖要素と、傷みやすい製品を収容する中心部とを有してなり、
前記閉鎖要素における周縁は、前記第１容器要素の垂直周縁上に固着し閉鎖されるようにして配置され、前記閉鎖要素は周縁に突出リップを有し、前記突出リップは、前記第１容器要素から閉鎖要素を剥がすために該第１容器要素における垂直周縁に固着せず、前記突出リップ近傍に前記中心部と連通する閉鎖流路を形成する２つの周縁を有し、該周縁の少なくとも１つが前記閉鎖流路に対して略直交して伸長する破砕線を有することを特徴とするパッケージ。
【請求項２】
少なくとも１つの周縁は、破砕線付近に少なくとも１つの切込みを有することを特徴とする請求項１に記載のパッケージ。
【請求項３】
周縁は破砕線のどちらか一方の側に切込みを有することを特徴とする請求項１に記載のパッケージ。
【請求項４】
切込みが、流路に近い地点で終端することを特徴とする請求項２又は３に記載のパッケージ。
【請求項５】
閉鎖要素は、平坦な要素として周縁の平面に位置することを特徴とする請求項１から４のいずれか１つ以上に記載のパッケージ。
【請求項６】
閉鎖要素は、垂直周縁及び中心部を有する第２要素として取り入れられることを特徴とする１から４のいずれか１つ以上に記載のパッケージ。
【請求項７】
閉鎖要素、及び第１容器要素が同じ材料からなることを特徴とする前記請求項のいずれか１つ以上に記載のパッケージ。
【発明の詳細な説明】
【技術分野】
【０００１】
本発明は、垂直周縁を有する第１容器要素と、周縁を有する閉鎖要素と、傷みやすい製品を収容する中心部とを有してなり、前記閉鎖要素における周縁は、前記第１容器要素の垂直周縁上に固着し閉鎖されるようにして配置され、前記閉鎖要素は周縁に突出リップを有し、前記突出リップは、前記第１容器要素から閉鎖要素を剥がすために該第１容器要素における垂直周縁に固着しない傷みやすい製品を収容するのに適したパッケージに関する。
【背景技術】
【０００２】
その様なパッケージは、通常、梱包された製品、又は材料、特に、食料品等の傷みやすい製品、又は材料に使用される。より詳細には、パッケージは、乳製品、又はヨーグルト製品、蜂蜜、ジャム、ピーナツバター、チョコレートスプレッド等の液体、又はゲル状物質の形体の梱包された傷みやすい食料品に使用される。このパッケージは、近年一般的になり、結果として一人用パッケージとしての使用が増加している。
【０００３】
一人用パッケージの欠点は、パッケージ内の製品が、一度パッケージを開けて、閉鎖要素を剥がして直接消費されなければならないことである。そのため、上記導入部分に記載のパッケージは、再度密閉可能なパッケージとは考慮されないのが事実である。
【０００４】
本発明の目的は、上記導入部分に記載のより用途の広いパッケージを提供し、ユーザがより多くの様々な方法に使用可能であるより多機能な新しいパッケージを提供することである。
【発明の開示】
【発明が解決しようとする課題】
【０００５】
本発明のパッケージは、リップ近傍に、中心部と連通する閉鎖流路を形成する２つの周縁を有し、周縁の少なくとも１つが前記閉鎖流路に対して略直行して伸長する破砕線を有することを特徴とする。本発明のパッケージにより、更に使用方法が、すなわち、パッケージの中心部にある製品を流路によって計測する方法が開発され、提供される。流路が計測口として機能する。計測流路は、破砕線に沿って箔材料を破って開けられる。パッケージは供給機能（すなわち、第１容器要素から閉鎖要素を剥がす）に加えて計測機能を有することを実現する。
【課題を解決するための手段】
【０００６】
本発明のパッケージは、特別な実施形態において、少なくとも周縁の１つが破砕線付近に少なくとも１つの切込みを有することを特徴とする。周縁は、破砕線のどちらか一方の側に切込みを有し、流路に近い地点で切込みが終端する。本発明の本実施形態のパッケージは、破砕線、及び流路付近の切込みを特徴とし、簡単な回転動作で箔材料を部分的に破り、流路を開封し、従って、計測口を有するパッケージを創造する。
本発明のパッケージは、２つの異なる機能によってより多機能に使用される。
【０００７】
他の実施形態において、閉鎖要素は、平坦な要素として周縁の平面に位置するように取入れられる。
【０００８】
更に、他の実施形態において、閉鎖要素は、垂直周縁及び中心部を有する第２要素として取り入れられる。好ましくは、第１及び第２容器要素は同一である。更に他の本発明のパッケージの実施形態において、閉鎖要素、及び第１容器要素は、同じ材料からなる。しかしながら、この部分は、違う材料からなっていてもよい。
【０００９】
図１a及び図１ｂに示すパッケージ１０は、周縁１１ａを形成する垂直縁１１ｂを有する第１容器要素１１からなる。パッケージ１０は、更に、閉鎖要素１２を有し、同様に周縁１１ａ上にその接着性により、取外し可能でありながら密閉するように配置される周縁１２ａを有する。結果として、中心部１３は、第１容器要素１１により形成され、内部に製品を収容して密閉される。
【００１０】
本発明のパッケージは、特に、所定の量の乳製品、又はヨーグルト製品等の食料品だけでなく、マヨネーズ、ケチャップ、ジャム、ピーナツバター等の液体、又は懸濁状の食料品の収容にもまた適している。しかしながら、本発明のパッケージは、また、所定の量の石鹸、シャンプー、リンス、化粧品等のボディーケア製品にも適している。
【００１１】
閉鎖要素１２は、それ自体周知である方法で、公知の方法によりユーザが手で引き上げることができるように、周縁１２ａ近傍の突出リップ１４ａを有し、閉鎖要素１２は、周縁１２ａにより第１容器要素１１の垂直縁１１ｂの周縁１１ａから剥がすことができる。この公知の方法により、パッケージ１０の全体が開封され、中心部１３に収容される製品の量をユーザが使用、又は消費可能となる。
【００１２】
この公知のパッケージにおける問題は、コーヒークリーム用として取入れる場合に、パッケージ１０に収容される製品の量が直接消費されなければならず、パッケージ１０を一度開けてしまうと、長期保存できない。従って、一方では、公知のパッケージと同様に、パッケージを完全に開封可能であり、また他方では、一度パッケージを開封してから、こぼさず、又は、直ぐに腐敗する恐れが無くて、パッケージ１０にしばらく製品を保存が可能であるパッケージが必要とされている。
【発明を実施するための最良の形態】
【００１３】
図１ａ及び図１ｂにおいて開示されるパッケージ１０の実施形態において、パッケージ１０は、周縁１１ａ〜１２ｂ付近に流路１５を有し、流路１５は、閉鎖要素１２、及び第１容器要素１１の２つのリップ１４ａ及び１４ｂによりそれぞれ形成され、互いに重なって配置される。流路１５は、互いに重なって配置されるリップ１４ａ〜１４ｂにより形成され、リップ１４ａ〜１４ｂの材料により完全に密閉され、図中の１５ａが示す地点付近で、液体、又は懸濁状の製品が収容される中心部１３の内部へ開く。更に、第１容器要素１１のリップ１４ａ、及び、特にリップ１４ｂに破砕線１６を有し、破砕線１６は流路１５に対して直交して伸長する。破砕線１６は、リップ１４ａの材料に小さな切れ目を入れて形成され得る。
【００１４】
従って、ユーザがリップ１４ａを引上げて、閉鎖要素１２を第１容器要素１１の周縁１１ａから剥がすことができ、更に、リップ１４ａ（及びリップ１４ｂ）が材料疲労により割れるまでリップ１４ａ（及びリップ１４ｂ）を破砕線１６に沿って数回後ろに曲げることができるため流路１５が開き、従って流出口が形成される。
【００１５】
ユーザは、中心部に収容される製品（食料品又は化粧品）を、第１容器要素１１、及び閉鎖要素１２を押して、流路（開封済）により形成される流出口を介して計測することができる。
【００１６】
本発明のパッケージ１０は、マヨネーズ、又はケチャップ製品の梱包に、特に適している。例えば、パッケージは、閉鎖要素１２を剥がして開封すると、パッケージ１０が完全に開き、又は、小さな計測口１５を有する閉鎖パッケージ１０がリップ１４ａ（及びリップ１４ｂ）を割って形成される。
【００１７】
図２は、本発明の他の実施形態を示し、同じ部分は同一番号で示す。
図１と同様に、第１容器要素、及び閉鎖要素１２は、流路１５を形成する重なり合うリップ１４ａ〜１４ｂを有し、１５ａに示す地点においてパッケージ１０の中心部１３の内部へ開く。閉鎖要素１２のリップ１４ａと第１容器要素１１のリップ１４ｂはどちらも、本実施形態の流路１５に対して直交して伸長する破砕線１６を有する。更に、２つのリップ１４ａ〜１４ｂは、それぞれ切込み１７ａ及び１７ｂを有し、切込みは流路１５付近で終端する。
【００１８】
ユーザは、リップ１４ａ〜１４ｂを流路１５により形成される伸長軸１８に関して回転、又はひねって、リップ１４ａ〜１４ｂを破砕線１６に沿って回転、又は割ることができ、よって計測口として機能する開口１５が形成される。
【００１９】
また、本実施形態において、本発明の多機能パッケージ１０は、容器要素１２を剥がして開く公知の機能に加えて、計測機能を提供する。
【００２０】
１つの可能な実施形態として、閉鎖要素１２が平坦な要素として周縁１２ａの平面に位置するように取入れられる。他の実施形態において閉鎖要素１２は、図２ｂに示すように、中心部１９に加えて垂直周縁１２ａを有する第２容器要素として取入れられる。第１容器要素１１及び第２容器要素１２は同一である。第１容器要素１１、及び閉鎖要素１２に違う材料を使用することは可能であるが、２つの要素は、好ましくは同じ材料からなる。これにより、同型のパッケージ１０と同様に頑丈となり、更に、パッケージ１０に収容される製品を計測するために使用する場合に、パッケージ１０で製品を計測する際に、ユーザが空になるまで絞ることができるようにするためある程度の剛性を備える。
【図面の簡単な説明】
【００２１】
本発明は、添付の図面を参照してより詳細に説明される。
【図１】図１ａ、及び図１ｂは、本発明のパッケージの第１実施形態を示す。
【図２】図２は、本発明のパッケージの他の実施形態を示す。
【図１】
2006516236.tif 000003
【図２】
2006516236.tif 000004
【国際調査報告】
2006516236.tif 000005
2006516236.tif 000006